(57)【要約】  試験装置の接続端子を被試験デバイスの被接続端子に接続する配線基板ユニットであって、被接続端子に対応する接点を一方の面に有する配線基板と、配線基板の一方の面に配され、接続端子を有するコネクタを配線基板に案内すると共に、コネクタを配線基板に向かって引き付けるコネクタガイドとを備える。上記配線基板ユニットにおいて、コネクタガイドは、接続端子の側方においてコネクタを配線基板に向かって付勢してもよい。また、上記配線基板ユニットにおいて、配線基板は、コネクタガイドに結合され、コネクタガイドを配線基板に向かって付勢する基板フレームを更に備えてもよい。
2010125605.tif 000002
【特許請求の範囲】
【請求項１】
試験装置の接続端子を被試験デバイスの被接続端子に接続する配線基板ユニットであって、
前記被接続端子に対応する接点を一方の面に有する配線基板と、
前記配線基板の前記一方の面に配され、前記接続端子を有するコネクタを前記配線基板に案内すると共に、前記コネクタを前記配線基板に向かって引き付けるコネクタガイドと
を備える配線基板ユニット。
【請求項２】
前記コネクタガイドは、前記接続端子の側方において前記コネクタを前記配線基板に向かって付勢する請求項１に記載の配線基板ユニット。
【請求項３】
前記配線基板は、前記コネクタガイドに結合され、前記コネクタガイドを前記配線基板に向かって付勢する基板フレームを更に備える請求項１または請求項２に記載の配線基板ユニット。
【請求項４】
前記基板フレームは、前記配線基板を結合するネジを螺入する非貫通孔を有する請求項３に記載の配線基板ユニット。
【請求項５】
前記配線基板ユニットは、
前記配線基板の前記一方の面の裏面に表面を接して、厚さ方向に限って導電性を有する第１異方性導電シートと、
前記第１異方性導電シートの裏面に表面を接して、前記一方の面における前記接点のレイアウトを前記被接続端子のレイアウトに変換するインタポーザと、
前記インタポーザの裏面に接して、厚さ方向に限って導電性を有する第２異方性導電シートと、
前記第１異方性導電シート、前記インタポーザおよび前記第２異方性導電シートを、前記配線基板に向かって付勢する、表裏を貫通する貫通電極を有する弾性導電シートと
を更に有する請求項１から請求項４までのいずれかに記載の配線基板ユニット。
【請求項６】
前記コネクタガイドは、前記配線基板ユニットが前記被試験デバイスに接する領域の裏面に相当する領域に向かって前記コネクタを引き付ける請求項１から請求項５までのいずれかに記載の配線基板ユニット。
【請求項７】
ウエハ上の被試験デバイスを試験する試験装置であって、
被試験デバイスの被接続端子に試験回路を接続する接続端子を有するコネクタと、
前記接続端子を前記被接続端子に電気的に接続する配線基板ユニットと
を備え、
前記配線基板ユニットは、
前記被接続端子に対応する接点を一方の面に有する配線基板と、
前記配線基板の前記一方の面に配され、前記コネクタを前記配線基板に案内すると共に、前記コネクタを前記配線基板に向かって引き付けるコネクタガイドと
を有する試験装置。
【請求項８】
前記コネクタガイドは、前記接続端子の側方において前記コネクタを前記配線基板に向かって付勢する請求項７に記載の試験装置。
【請求項９】
前記配線基板は、前記コネクタガイドに結合され、前記コネクタガイドを前記配線基板に向かって付勢する基板フレームを更に備える請求項７または請求項８に記載の試験装置。
【請求項１０】
前記基板フレームは、前記配線基板を結合するネジを螺入する非貫通孔を有する請求項９に記載の試験装置。
【請求項１１】
前記配線基板ユニットは、
前記配線基板の前記一方の面の裏面に表面を接して、厚さ方向に限って導電性を有する第１異方性導電シートと、
前記第１異方性導電シートの裏面に表面を接して、前記一方の面における前記接点のレイアウトを前記被接続端子のレイアウトに変換するインタポーザと、
前記インタポーザの裏面に接して、厚さ方向に限って導電性を有する第２異方性導電シートと、
前記第１異方性導電シート、前記インタポーザおよび前記第２異方性導電シートを、前記配線基板に向かって付勢する、表裏を貫通する貫通電極を有する弾性導電シートと
を更に有する請求項７から請求項１０までのいずれかに記載の試験装置。
【請求項１２】
前記コネクタガイドは、前記配線基板ユニットが前記被試験デバイスに接する領域の裏面に相当する領域に向かって前記コネクタを引き付ける請求項７から請求項１１までのいずれかに記載の試験装置。
【発明の詳細な説明】
【技術分野】
【０００１】
本発明は、配線基板ユニットおよび試験装置に関する。
【背景技術】
【０００２】
下記の特許文献１には、一枚のウエハに形成された複数の半導体集積回路を一括して検査する検査装置が記載されている。これによりウエハ一枚当たりの検査時間を短縮して生産性を向上させている。
【先行技術文献】
【特許文献】
【０００３】
【特許文献１】特開２００６−２７８９４９号公報
【発明の概要】
【発明が解決しようとする課題】
【０００４】
集積度の向上並びに基板の大型化に伴い、基板単位で試験をする場合の試験対象の規模も巨大になっている。これに対して、半導体集積回路の数と同数の試験回路および接触端子を設けると、試験装置の規模も大きくなる。このため、試験装置は大型且つ高価になり、半導体装置の製造コストにも影響を与えている。
【課題を解決するための手段】
【０００５】
上記課題を解決すべく、本発明の第１態様として、試験装置の接続端子を被試験デバイスの被接続端子に接続する配線基板ユニットであって、被接続端子に対応する接点を一方の面に有する配線基板と、配線基板の一方の面に配され、接続端子を有するコネクタを配線基板に案内すると共に、コネクタを配線基板に向かって引き付けるコネクタガイドとを備える配線基板ユニットが提供される。【０００６】
また、本発明の第２態様として、ウエハ上の被試験デバイスを試験する試験装置であって、被試験デバイスの被接続端子に試験回路を接続する接続端子を有するコネクタと、接続端子を被接続端子に電気的に接続する配線基板ユニットとを備え、配線基板ユニットは、被接続端子に対応する接点を一方の面に有する配線基板と、配線基板の一方の面に配され、コネクタを配線基板に案内すると共に、コネクタを配線基板に向かって引き付けるコネクタガイドとを有する試験装置が提供される。【０００７】
上記の発明の概要は、本発明の必要な特徴の全てを列挙したものではない。また、これら特徴群のサブコンビネーションも発明となり得る。
【図面の簡単な説明】
【０００８】
【図１】試験装置１００の正面図である。
【図２】試験装置１００の部分縦断面図である。
【図３】試験装置１００の部分水平断面図である。
【図４】アライメントユニット４００の部分縦断面図である。
【図５】テストヘッド２００の断面図である。
【図６】プローブカード３００の分解図である。
【図７】メンブレンユニット３７０の部分拡大断面図である。
【図８】ＰＣＲシート３４０、３６０の部分拡大断面図である。
【図９】インタポーザ３５０の部分断面図である。
【図１０】配線基板３２０の平面図である。
【図１１】コンタクタ２０２の部分分解斜視図である。
【図１２】コンタクタ２０２の拡大断面図である。
【図１３】コンタクタハウジング２８０における信号配列を示す図である。
【図１４】テストヘッド２００およびプローブカード３００の断面図である。
【図１５】テストヘッド２００およびプローブカード３００の断面図である。
【図１６】試験実行領域１０３を示す平面図である。
【図１７】試験実行領域１０３を示す平面図である。
【図１８】ガイドユニット３３０周辺の分解斜視図である。
【図１９】プローブカード３００の平面図である。
【図２０】コンタクタ２０２の動作を示す模式図である。
【図２１】コンタクタ２０２周辺の他の構造を示す斜視図である。
【図２２】コンタクタ２０２の側面図である。
【図２３】プローブカード３００の平面図である。
【図２４】プローブカード３００の部分拡大斜視図である。
【図２５】コンタクタ２０２の更に他の構造を示す側面図である。
【符号の説明】
【０００９】
１００  試験装置、１０１  ウエハ、１０２  素子領域、１０３  試験実行領域、１０５  試験非実行領域、１１０  ＥＦＥＭ（Ｅｑｕｉｐｍｅｎｔ  Ｆｒｏｎｔ  Ｅｎｄ  Ｍｏｄｕｌｅ）、１１２  シグナルランプ、１１４  ＥＭＯ（ＥＭｅｒｇｅｎｃｙ  Ｏｆｆ）、１１５、４０２、４２２  レール、１１６  ロボットアーム、１１７  コラム、１１８  プリアライナ、１２０  操作部、１２２  ディスプレイ、１２４  アーム、１２６  入力装置、１３０  ロードユニット、１３２  ロードテーブル、１３４  ロードゲート、１４０  チラー、１５０  ＦＯＵＰ（Ｆｒｏｎｔ  Ｏｐｅｎｉｎｇ  Ｕｎｉｆｉｅｄ  Ｐｏｄ）、１６０  メインフレーム、２００  テストヘッド、２０１、４０１  筐体、２０２  コンタクタ、２１０  ピンエレクトロニクス、２２０  マザーボード、２２２、２２６  アングルコネクタ、２２４  中継コネクタ、２２８  小基板、２３０  フラットケーブル、２３２  コネクタハウジング、２３４  コンタクトピン、２４０  支持基板、２５０  三次元アクチュエータ、２６０  コンタクタ基板、２７０  サブ基板、２７１  絶縁シート、２７２、２７３、２７７、２８２、２９６、３１３、３１５、３１７、３２７、３３６  ネジ穴、２７４  実装部品、２７５  補強部材、２７６、２９２  レセプタクル、２７８、３２１、３２３、３５１、３５３、３７１  コンタクトパッド、２７９、２９８、３１６、３１９、３２９、３３９  ネジ、２８０  コンタクタハウジング、２８１  通過部、２８３  傾斜部、２８４  ハウジング穴、２８５  水平部、２８６  スプリングピン、２８７  電源ライン、２８８  グランドライン、２８９  信号ライン、２９０  ソケット、２９４  係合ピン、２９５  ガイドピン、２９９  バネ、３００  プローブカード、３０９  枠部、３１０  スティフナ、３１１  結合部、３１２  上部フレーム、３１４  下部フレーム、３１８  クロスメンバ、３２０  配線基板、３２４  パッド群、３２８  非貫通孔、３３０  ガイドユニット、３３１  長穴、３３２  チャネル部材、３３３  ローラ、３３４  連結部、３３５  作動バー、３３７  スピンドル、３４０、３６０  ＰＣＲシート（ｓｅｎｓｉｔｉｖｅ  Ｃｏｎｄｕｃｔｉｖｅ  Ｒｕｂｅｒ  Ｓｈｅｅｔ）、３４１、３６１  貫通電極、３４３、３６３  弾性支持部、３４２、３６２  フレーム、３４４、３４６、３５４、３６４、３６６、３７４  貫通穴、３５０  インタポーザ、３５２  基板、３５５、３７５  スルーホール、３５７  配線層、３７０  メンブレンユニット、３７２  弾性シート、３７３  バンプ、３７６  フレーム、３８０  ガイドバー、３８１  段差、３８２  溝カム、３８６  ガイド穴、３８７  端部、４００  アライメントユニット、４１０  アライメントステージ、４２０  ステージキャリア、４３０  マイクロスコープ、４４０  ハンガフック、４５０  ウエハトレイ、４５２、４５４  流路、４５６  ダイヤフラム、５１０、５２０  減圧源、５１２、５２２  バルブ
【発明を実施するための形態】
【００１０】
以下、発明の実施の形態を通じて本発明を説明するが、以下の実施形態は請求の範囲に係る発明を限定するものではない。また、実施形態の中で説明されている特徴の組み合わせの全てが発明の解決手段に必須であるとは限らない。
【００１１】
図１は、試験装置１００全体を示す正面図である。試験装置１００は、ＥＦＥＭ１１０、操作部１２０、ロードユニット１３０、チラー１４０を備える。
【００１２】
ＥＦＥＭ１１０は、試験対象となる基板を試験装置１００の内部で搬送する機構を内蔵する。試験装置１００のなかでＥＦＥＭ１１０は寸法が最も大きいので、試験装置１００の動作状態を示すシグナルランプ１１２と、試験装置１００を非常停止させる場合に操作するＥＭＯ１１４とが、ＥＦＥＭ１１０前面の高い位置に配される。
【００１３】
操作部１２０も、ＥＦＥＭ１１０に支持される。操作部１２０は、ディスプレイ１２２、アーム１２４および入力装置１２６を有する。アーム１２４は、一端をＥＦＥＭ１１０に結合され、他端においてディスプレイ１２２および入力装置１２６を移動自在に支持する。
【００１４】
ディスプレイ１２２は、例えば液晶表示装置等を含み、試験装置１００の動作状態、入力装置１２６からの入力内容のエコーバック等を表示する。入力装置１２６は、キーボード、マウス、トラックボール、ジョグタイヤル等を含み得、試験装置１００の設定、操作等を受け付ける。
【００１５】
ロードユニット１３０は、ロードテーブル１３２およびロードゲート１３４を有する。ロードテーブル１３２は、試験の対象となる半導体ウエハを収容した容器が載せられる。ロードゲート１３４は、試験装置１００に半導体ウエハを搬入または搬出する場合に開閉する。これにより、試験装置１００内部の清浄度を低下させることなく、外部から半導体ウエハをロードできる。
【００１６】
チラー１４０は、試験装置１００における試験により温度が上昇したウエハを、搬出前に冷却する。このため、半導体ウエハの搬出にも与るロードユニット１３０と、試験を実行するテストヘッドとの間に配される。また、ＥＦＥＭ１１０はチラー１４０への半導体ウエハの搬入および搬出も担うので、チラー１４０はＥＦＥＭ１１０に隣接して配される。
【００１７】
図２は、試験装置１００の部分縦断面図である。図１と共通の要素には同じ参照番号を付して重複する説明を省く。試験装置１００は、ロードユニット１３０、ＥＦＥＭ１１０、メインフレーム１６０、アライメントユニット４００、プローブカード３００およびテストヘッド２００を備える。この図ではチラー１４０の図示は省いた。
【００１８】
この試験装置１００においては、ロードユニット１３０、ＥＦＥＭ１１０およびメインフレーム１６０が、前面（図中の左側）から後方（図中の右側）に向かって順次隣接して配される。また、アライメントユニット４００、プローブカード３００およびテストヘッド２００は、メインフレーム１６０の上に積層される。
【００１９】
ロードユニット１３０のロードテーブル１３２には、ＦＯＵＰ１５０が載せられている。ＦＯＵＰ１５０は、試験対象となるウエハ１０１を複数格納する。また、試験終了後のウエハ１０１を回収する場合にも、ＦＯＵＰ１５０にウエハが収納される。
【００２０】
ＥＦＥＭ１１０は、ロボットアーム１１６を内蔵する。ロボットアーム１１６は、レール１１５に沿って走行するコラム１１７に搭載され、ロードユニット１３０およびアライメントユニット４００の間でウエハを搬送する。このため、ロードユニット１３０とＥＦＥＭ１１０、アライメントユニット４００とＥＦＥＭ１１０は、それぞれ内部で気密に連通し、これらの内部は高い清浄度を保たれる。
【００２１】
メインフレーム１６０は、試験装置１００全体の動作を制御する。例えば、操作部１２０に接続されて、入力装置１２６から入力を受け付け、それを試験装置１００の各部に反映させる。また、試験装置１００の動作状態を反映させた表示内容を生成して、ディスプレイ１２２に表示させる。
【００２２】
更に、メインフレーム１６０は、ロードユニット１３０、ＥＦＥＭ１１０およびアライメントユニット４００の動作を同期させて、ウエハ１０１を相互に受け渡しさせる。また更に、ＥＭＯ１１４が操作された場合は、試験装置１００各部の動作を直ちに停止させる。これらの動作は、試験の対象となるウエハ１０１の種類、試験の内容に関わらず求められるので、メインフレーム１６０は試験装置１００に恒常的に装備される。
【００２３】
アライメントユニット４００は、アライメントステージ４１０を有する。換言すれば、プローブカード３００を交換することにより、レイアウトの異なるウエハ１０１に試験装置１００を対応させることができる。
【００２４】
アライメントステージ４１０は、ウエハトレイ４５０およびウエハ１０１を搭載してレール４０２に沿って走行する。また、アライメントステージ４１０は、垂直方向に伸縮して、搭載したウエハ１０１を上昇または降下させることができる。これにより、プローブカード３００に対してウエハ１０１を位置合わせした後、ウエハ１０１を上方のプローブカード３００に押し付ける。
【００２５】
プローブカード３００は、試験装置１００において試験を実行する場合に、テストヘッド２００とウエハ１０１との間に介在して、テストヘッド２００およびウエハ１０１を電気的に接続する配線基板ユニットとして用いられる。ウエハ１０１に対して試験を実行する場合は、プローブカード３００により、テストヘッド２００とウエハ１０１との間に電気的な信号経路が形成される。
【００２６】
テストヘッド２００は、複数のピンエレクトロニクス２１０を格納する。ピンエレクトロニクス２１０は、試験の対象および試験の内容に応じて求められる電気回路を実装される。テストヘッド２００は、下面に装着されたコンタクタ２０２を介して、プローブカード３００に対して電気的に接続される。
【００２７】
上記のような試験装置１００において、試験に供するウエハ１０１は、ＦＯＵＰ１５０に収容された状態で、ロードテーブル１３２に搭載される。ロボットアーム１１６は、ロードゲート１３４を通してウエハ１０１を１枚ずつ取り出して、アライメントユニット４００に搬送する。
【００２８】
アライメントユニット４００において、ウエハ１０１は、アライメントステージ４１０上のウエハトレイ４５０に搭載される。アライメントステージ４１０は、搭載されたウエハ１０１をプローブカード３００に対して位置合わせした後、プローブカード３００に対して下方から押し付ける。以後の動作については後述する。
【００２９】
図３は、試験装置１００の部分水平断面図である。図１および図２と共通の要素には同じ参照番号を付して重複する説明を省く。試験装置１００は、４基のロードユニット１３０と、４基のテストヘッド２００とを備える。また、ロードユニット１３０の各々には、ＦＯＵＰ１５０が装填される。
【００３０】
ＥＦＥＭ１１０およびアライメントユニット４００は１基ずつ配される。また、アライメントユニット４００は、単一のアライメントステージ４１０を備える。
【００３１】
ＥＦＥＭ１１０において、ロボットアーム１１６を支持するコラム１１７は、レール１１５に沿って、ＥＦＥＭ１１０の略全幅にわたって移動する。従って、ロボットアーム１１６は、４基のロードユニット１３０および４基のテストヘッドの全てにウエハ１０１を搬送できる。
【００３２】
なお、ＥＦＥＭ１１０内部の、チラー１４０と反対側の端部に、プリアライナ１１８が配される。プリアライナ１１８は、ロボットアーム１１６に対するウエハ１０１の搭載位置を、テストヘッド２００が要求する精度よりは低いが相当に高い精度で調整する。
【００３３】
これにより、ロボットアーム１１６がウエハトレイ４５０にウエハ１０１を搭載する場合の初期位置精度が向上され、プローブカード３００に対する位置合わせに要する時間が短縮される。また、試験装置１００のスループットを向上させることができる。
【００３４】
アライメントユニット４００は、レール４０２、４２２、ステージキャリア４２０、アライメントステージ４１０およびマイクロスコープ４３０を有する。レール４０２は、筐体４０１底面の略全幅にわたって配される。ステージキャリア４２０は、レール４０２に沿って、筐体４０１の長手方向に移動する。
【００３５】
ステージキャリア４２０は、筐体４０１のレール４０２に直行するレール４２２を上面に有する。アライメントステージ４１０は、レール４２２の上を筐体４０１の短手方向に移動する。
【００３６】
マイクロスコープ４３０の一部は、テストヘッド２００の各々に対応して、プローブカード３００の各々の直近に配される。これらのマイクロスコープ４３０は、筐体４０１の天井面に、下方に向かって配される。
【００３７】
また、一対のマイクロスコープ４３０が、アライメントステージ４１０と共に、ステージキャリア４２０に搭載される。この一対のマイクロスコープ４３０は、アライメントステージ４１０と共に移動する。また、これらのマイクロスコープ４３０は、上方に向かって配される。
【００３８】
これらのマイクロスコープ４３０を用いることにより、プローブカード３００に対してアライメントステージ４１０上のウエハ１０１を位置合わせすることができる。即ち、アライメントステージ４１０上の上に搭載された段階では、ウエハ１０１の位置は、プリアライメントの精度で位置決めされている。そこで、下方を向いたマイクロスコープ４３０でウエハ１０１の例えば縁部を検出することにより、ウエハ１０１の位置を正確に検出することができる。
【００３９】
一方、筐体４０１に配されたマイクロスコープのプローブカード３００に対する相対位置は既知である。これにより、ウエハ１０１の位置とプローブカード３００の位置との差分を検出して、それが補償されるようにアライメントステージ４１０を移動させて、ウエハ１０１およびプローブカード３００を位置合わせすることができる。
【００４０】
なお、ウエハ１０１の検出は、縁部の検出に限られるわけではない。例えば、ディスプレイ１２２にマイクロスコープ４３０の映像を表示して、手動で位置合わせしてもよい。
【００４１】
図４は、アライメントユニット４００の構造を示す部分縦断面図である。図１から図３と共通の要素には同じ参照番号を付して重複する説明を省く。アライメントユニット４００は、筐体４０１、アライメントステージ４１０およびハンガフック４４０を備える。
【００４２】
筐体４０１は、複数のテストヘッド２００、例えば４基のテストヘッド２００に応じた幅を有する。また、筐体４０１の上面には、テストヘッド２００の各々に対応して４枚のプローブカード３００が装着される。更に、筐体４０１内部の天井面には、テストヘッド２００の各々に対応する位置に、開閉するハンガフック４４０がそれぞれ配される。
【００４３】
ハンガフック４４０は、閉じた場合にはウエハトレイ４５０を懸下して、プローブカード３００の直下に保持する。ハンガフック４４０が開いた場合、ウエハトレイ４５０は開放される。これにより、アライメントユニット４００は、テストヘッド２００およびプローブカード３００の各々の直下に、それぞれウエハトレイ４５０を待機させる。
【００４４】
アライメントステージ４１０は、筐体４０１の底面に配されたレール４０２に沿って、いずれのテストヘッド２００の下方にも移動できる。また、アライメントステージ４１０は、垂直方向に伸縮して、搭載したウエハトレイ４５０等を上昇または降下させることができる。
【００４５】
上記のような構造を有するアライメントユニット４００において、ハンガフック４４０に保持されたウエハトレイ４５０は、下方からアライメントステージ４１０を上昇させることにより、いったん、単独でアライメントステージ４１０に搭載される。続いて、ハンガフック４４０を開いて開放した状態でアライメントステージ４１０を降下させることにより、ウエハトレイ４５０をハンガフック４４０から開放する。
【００４６】
更に、アライメントステージ４１０の降下により上面を開放されたウエハトレイ４５０に、ＥＦＥＭ１１０のロボットアーム１１６がウエハ１０１を搭載する。こうして、アライメントステージ４１０は、ウエハトレイ４５０に載せられた状態でウエハ１０１を搭載できる。
【００４７】
次に、アライメントステージ４１０は、プローブカード３００に対してウエハ１０１を位置合わせしつつ、ウエハトレイ４５０を上昇させて、プローブカード３００の下面に押し付ける。プローブカード３００は、押し付けられたウエハトレイ４５０およびウエハ１０１を吸着する。プローブカード３００がウエハ１０１およびウエハトレイ４５０を吸着する構造については後述する。
【００４８】
アライメントステージ４１０は、ウエハ１０１およびウエハトレイ４５０を残して移動して、他のウエハ１０１を搬送する。こうして、ウエハ１０１を、テストヘッド２００に対して装填できる。
【００４９】
なお、試験を終えたウエハ１０１を回収する場合は、上記一連の操作を逆の順序で実行すればよい。これにより、ロボットアーム１１６によりウエハ１０１を搬出できると共に、ウエハトレイ４５０は、テストヘッド２００の直下で待機する。
【００５０】
図示の例では、図上で右側のテストヘッド２００の直下で、ウエハトレイ４５０およびウエハ１０１が、プローブカード３００に吸着されている。ハンガフック４４０は閉じているが、ウエハトレイ４５０には接していない。
【００５１】
右から２番目のテストヘッド２００の直下では、アライメントステージ４１０が、搭載したウエハトレイ４５０およびウエハ１０１を押し上げて、プローブカード３００の下面に密着させている。他のテストヘッド２００の下方では、ハンガフック４４０がウエハトレイ４５０を保持して待機している。
【００５２】
このように、アライメントユニット４００においては、４基のテストヘッド２００の各々に対応してウエハトレイ４５０が装備される。これにより、テストヘッド２００の各々が個別にウエハ１０１を試験できる。
【００５３】
なお、複数のテストヘッド２００は、互いに同じ種類の試験を実行してもよいし、互いに異なる種類の試験を実行してもよい。また、後者の場合、時間のかかる試験を複数のテストヘッドに担わせることにより、試験装置１００のスループットを向上させることもできる。
【００５４】
このように、試験装置１００においては、単一のアライメントステージ４１０およびロボットアーム１１６を、複数のテストヘッド２００に対して用いる。これにより、試験を実行している期間は不要なアライメントステージ４１０およびロボットアーム１１６の利用効率を向上させることができる。
【００５５】
図５は、テストヘッド２００の断面図である。図１から図４と共通の要素には同じ参照番号を付して重複する説明を省く。テストヘッド２００は、筐体２０１、コンタクタ２０２、ピンエレクトロニクス２１０、マザーボード２２０およびフラットケーブル２３０を備える。
【００５６】
筐体２０１の内部には、複数の中継コネクタ２２４を有するマザーボード２２０が水平に配される。中継コネクタ２２４は、マザーボード２２０の上面側および下面側にそれぞれレセプタクルを有して、マザーボード２２０を貫通する信号経路を形成する。
【００５７】
マザーボード２２０の上面において、中継コネクタ２２４の各々には、アングルコネクタ２２２を介してピンエレクトロニクス２１０が装着される。このような構造により、試験対象の仕様および試験内容に応じてピンエレクトロニクス２１０を交換することができる。
【００５８】
複数のピンエレクトロニクス２１０は、互いに同じ仕様である場合も、互いに異なる仕様である場合もある。また、一部の中継コネクタ２２４に、ピンエレクトロニクス２１０が装着されない場合もある。
【００５９】
マザーボード２２０の下面において、中継コネクタ２２４の各々には、アングルコネクタ２２６を介して小基板２２８が接続される。小基板２２８には、フラットケーブル２３０の一端が接続される。これにより、筐体２０１内部のピンエレクトロニクス２１０と、後述するコンタクタ２０２とを、フラットケーブル２３０を介して接続できる。
【００６０】
筐体２０１の下面には、コンタクタ２０２が装着される。コンタクタ２０２は、支持基板２４０、三次元アクチュエータ２５０、コンタクタ基板２６０、サブ基板２７０およびコンタクタハウジング２８０を有する。
【００６１】
支持基板２４０は、上面を筐体２０１に対して固定されると共に、下面において、三次元アクチュエータ２５０の上端を支持する。三次元アクチュエータ２５０の下端は、コンタクタ基板２６０を支持する。更に、コンタクタ基板２６０の下面には、サブ基板２７０およびコンタクタハウジング２８０が固定される。
【００６２】
三次元アクチュエータ２５０は、支持基板２４０の下面に沿って水平方向に移動し得ると共に、垂直方向にも伸縮する。これにより、コンタクタ基板２６０を、三次元的に移動させることができる。コンタクタ基板２６０が移動した場合、コンタクタ基板２６０と共に、サブ基板２７０およびコンタクタハウジング２８０も移動する。
【００６３】
なお、フラットケーブル２３０の下端は、コンタクタハウジング２８０に保持された端子、例えばスプリングピンに結合される。これにより、ピンエレクトロニクス２１０は、テストヘッド２００の最下面まで電気的に接続される。また、ここでは一例としてスプリングピンを挙げたが、容量結合、光接続等、スプリングピンを用いない接続を含む構造も採り得る。
【００６４】
図６は、プローブカード３００の分解図である。プローブカード３００は、配線基板３２０、ＰＣＲシート３４０、３６０、インタポーザ３５０およびメンブレンユニット３７０を備える。
【００６５】
配線基板３２０は、比較的機械強度の高い絶縁基板、例えばポリイミド板により形成される。配線基板３２０の周縁部は、互いに積層してネジ３１６により締結された、それぞれが枠状の上部フレーム３１２および下部フレーム３１４に挟まれる。これにより、配線基板３２０の機械的強度は更に向上される。
【００６６】
また、配線基板３２０は、上面にガイドユニット３３０を複数有する。ガイドユニット３３０は、コンタクタ２０２が配線基板３２０に当接する場合に、コンタクタ２０２を案内して位置決めするコネクタガイドとして機能する。
【００６７】
更に、配線基板３２０の下面には、接触により電気的接続を得られる複数のコンタクトパッド３２３が配される。コンタクトパッド３２３は、配線基板３２０の上面において、ガイドユニット３３０の内側に配された、図示されていないコンタクトパッドに電気的に接続される。
【００６８】
ＰＣＲシート３４０は、表裏を貫通する貫通電極３４１を有する。また、ＰＣＲシート３４０の貫通電極３４１は、配線基板３２０下面のコンタクトパッド３２３と同じレイアウトを有する。これにより、配線基板３２０とＰＣＲシート３４０とが密接して積層された場合、コンタクトパッド３２３および貫通電極３４１は、互いに電気的に接続される。
【００６９】
インタポーザ３５０は、上面および下面に、それぞれコンタクトパッド３５１、３５３を有する。上面のコンタクトパッド３５１は、ＰＣＲシート３４０の貫通電極３４１と同じレイアウトを有する。これにより、ＰＣＲシート３４０とインタポーザ３５０とが密接して積層された場合、貫通電極３４１およびコンタクトパッド３５１は、互いに電気的に接続される。
【００７０】
インタポーザ３５０下面のコンタクトパッド３５３は、上面のコンタクトパッド３５１と異なるレイアウトを有する。このため、インタポーザ３５０の表裏では、コンタクトパッド３５１、３５３のピッチが異なっている。ただし、下面のコンタクトパッド３５３には、対応する上面のコンタクトパッド３５１があり、対応するコンタクトパッド３５１、３５３は互いに電気的に接続される。
【００７１】
ＰＣＲシート３６０は、表裏を貫通する貫通電極３６１を有する。また、ＰＣＲシート３６０の貫通電極３６１は、インタポーザ３５０下面のコンタクトパッド３５３と同じレイアウトを有する。これにより、インタポーザ３５０とＰＣＲシート３６０とが密接して積層された場合、コンタクトパッド３５３および貫通電極３６１は、互いに電気的に接続される。
【００７２】
メンブレンユニット３７０は、弾性シート３７２、コンタクトパッド３７１、バンプ３７３およびフレーム３７６を有する。弾性シート３７２は、弾性を有する絶縁材料により形成される。
【００７３】
コンタクトパッド３７１は、ＰＣＲシート３６０下面における貫通電極３６１と同じレイアウトで、弾性シート３７２の上面に配される。従って、ＰＣＲシート３４０とメンブレンユニット３７０とが密接して積層された場合、貫通電極３６１およびコンタクトパッド３７１は互いに電気的に接続される。
【００７４】
バンプ３７３は、弾性シート３７２の下面に配される。フレーム３７６は、弾性シート３７２の周縁部を把持して、弾性シート３７２を平坦な状態に維持する。
【００７５】
なお、ＰＣＲシート３４０、３６０、インタポーザ３５０およびメンブレンユニット３７０の各々は、表裏を貫通する貫通穴３４４、３５４、３６４、３７４を有する。貫通穴３４４、３５４、３６４、３７４は、相互に概ね同じ位置にレイアウトされる。これにより、ＰＣＲシート３４０、３６０、インタポーザ３５０およびメンブレンユニット３７０を積層した場合に貫通穴３４４、３５４、３６４、３７４が連通して、部材相互の間の排気を助ける。
【００７６】
図７は、メンブレンユニット３７０の部分拡大断面図である。メンブレンユニット３７０において、バンプ３７３は、試験対象となるウエハ１０１上の回路の試験パッドと同じレイアウトに配される。試験パッドは、ウエハ１０１上のデバイスの試験を実行する場合に、被試験デバイスに対する信号に入出力、電力の供給等に用いる電気接点をなす。
【００７７】
また、バンプ３７３は、ウエハ１０１上の個々の回路に対応して複数のバンプ３７３を含むセットを形成し、更に、当該セットが、ウエハ１０１上の回路の数と同数形成される。更に、バンプ３７３の各々は、下方に向かって中央が突出した形状を有する。これにより、バンプ３７３は、プローブカード３００の最下面において、ウエハ１０１に対する接触端子として機能する。
【００７８】
また、バンプ３７３のそれぞれは、弾性シート３７２に埋設されたスルーホール３７５を介して、コンタクトパッド３７１のいずれかに電気的に接続される。既に説明した通り、コンタクトパッド３７１は、ＰＣＲシート３６０の貫通電極３６１、および、インタポーザ３５０下面のコンタクトパッド３５３と同じレイアウトを有する。従ってメンブレンユニット３７０、ＰＣＲシート３６０およびインタポーザ３５０が相互に積層された場合、バンプ３７３からインタポーザ３５０に至る電気的接続が形成される。
【００７９】
図８は、ＰＣＲシート３４０、３６０の部分拡大断面図である。ＰＣＲシート３４０、３６０は、貫通電極３４１、３６１、フレーム３４２、３６２および弾性支持部３４３、３６３を有する。
【００８０】
フレーム３４２、３６２は、金属等の剛性の高い材料で形成され、貫通電極３４１、３６１の外径よりも大きな内径を有する貫通穴３４６、３６６を複数有する。貫通電極３４１、３６１の各々は、フレーム３４２、３６２に形成された貫通穴３４６、３６６の内側において、弾性支持部３４３、３６３を介してフレーム３６２から支持される。
【００８１】
弾性支持部３４３、３６３は、シリコンゴム等の柔軟な材料により形成される。また、貫通電極３４１、３６１は、フレーム３６２の厚さよりも大きな長さを有する。これにより、ＰＣＲシート３４０、３６０がインタポーザ３５０および配線基板３２０の間、あるいは、インタポーザ３５０およびメンブレンユニット３７０の間に挟まれた場合、各部材の凹凸のばらつきを吸収して、良好な電気的接合を形成する。
【００８２】
図９は、インタポーザ３５０の部分断面図である。インタポーザ３５０の基板３５２は、基板３５２を表裏に貫通する複数のスルーホール３５５を有する。スルーホール３５５の各々は、配線層３５７を介して、コンタクトパッド３５１、３５３に接続される。これにより、基板３５２の表裏のコンタクトパッド３５１、３５３が電気的に接続される。
【００８３】
また、スルーホール３５５とコンタクトパッド３５１、３５３との間に配線層３５７が介在するので、上面のコンタクトパッド３５１と裏面のコンタクトパッド３５３とに異なるレイアウトを与えることができる。従って、インタポーザ３５０下面のコンタクトパッド３５３を、試験対象となるウエハ１０１の試験パッドに一致させた場合でも、インタポーザ３５０上面のコンタクトパッド３５１を任意にレイアウトできる。
【００８４】
より具体的には、ウエハ１０１の試験パッドは、集積回路に造り込まれているので、それぞれの面積も、試験パッド相互のピッチも小さい。しかしながら、インタポーザ３５０下面のコンタクトパッド３５３のピッチＰ２を試験パッドに合わせる一方、インタポーザ３５０上面のコンタクトパッド３５１のピッチＰ１をより大きくすることにより、インタポーザ３５０の上側に積層されるＰＣＲシート３４０および配線基板３２０においては、貫通電極３４１およびコンタクトパッド３２３のピッチを大きくすることができる。
【００８５】
また、インタポーザ３５０の上面におけるコンタクトパッド３５１の面積を、下面のコンタクトパッド３５３の面積よりも大きくすることにより、インタポーザ３５０、ＰＣＲシート３４０および配線基板３２０に相互の位置精度要求を緩和できる。また、接触抵抗等に起因する電気特性も改善できる。
【００８６】
このように、プローブカード３００上面に配されたコンタクトパッド３２１のピッチは、メンブレンユニット３７０のバンプ３７３よりも広い。また、コンタクトパッド３２１の面積は、バンプ３７３よりも広くすることができる。これにより、コンタクタ２０２とプローブカード３００との接続を容易且つ確実にできる。
【００８７】
図１０は、配線基板３２０平面図である。配線基板３２０は、点線で示すウエハ１０１に外接する矩形よりもわずかに大きな矩形の平面形状を有する。スティフナ３１０は、配線基板３２０の外側を包囲する。また、スティフナ３１０は、配線基板３２０を横切るクロスメンバ３１８を有する。
【００８８】
クロスメンバ３１８は、枠状のスティフナ３１０に対して高剛性に取り付けられる。これにより、スティフナ３１０と一体化された配線基板３２０全体の曲げ剛性が向上されると共に、ねじれ剛性も高くなる。従って、配線基板３２０の反り等の変形も抑制できる。
【００８９】
ガイドユニット３３０は、スティフナ３１０およびクロスメンバ３１８の間で、配線基板３２０の上面に互いに並行に多数配される。また、ガイドユニット３３０の各々の内側には、配線基板３２０上面の複数のコンタクトパッドが集まってパッド群３２４を形成する。このように、プローブカード３００の複数のコンタクトパッド３２１は、互いに同一の信号配列を含むｎセットのパッド群３２４により形成してもよい。
【００９０】
パッド群３２４は、互いに同じ配置を有する。パッド群３２４を形成するコンタクトパッドの各々は、配線基板３２０下面のコンタクトパッド３２１のいずれかに電気的に接続されるが、パッド群３２４相互では、個々のコンタクトバッドに対する信号配列が共通している。
【００９１】
このように、コンタクタ２０２による一回の接続において試験対象となるパッド群３２４は、ウエハ１０１において互いに同一の信号配列を有する試験パッドに対応した配列にしてもよい。これにより、仕様の同じコンタクタ２０２を用いてパッド群３２４に電気的接続を形成できる。また、ひとつのコンタクタ２０２を移動させて、複数のパッド群３２４に対して電気的接続を形成することもできる。
【００９２】
配線基板３２０は、ウエハ１０１と重なる領域にもコンタクパッドが配され、ウエハ１０１に近い占有面積を有する。従って、配線基板３２０を含むプローブカード３００の小型化に寄与すると共に、試験装置１００の省スペース化にも寄与する。
【００９３】
図１１は、コンタクタ２０２の部分分解斜視図である。コンタクタ２０２は、サブ基板２７０およびコンタクタハウジング２８０を有する。サブ基板２７０は、コンタクタハウジング２８０の長手方向の寸法に略等しい長さと、コンタクタハウジング２８０の幅よりも大きな幅を有する。
【００９４】
また、サブ基板２７０は、自身を厚さ方向に貫通するネジ穴２７２およびレセプタクル２７６を有する。ネジ穴２７２は、後述するコンタクタハウジング２８０のネジ穴２８２と同じ配置を有して、ネジ２７９を挿通し得る内径を有する。
【００９５】
レセプタクル２７６は、コネクタハウジング２３２から下方に突出するコンタクトピン２３４と相補的な形状を有する。コネクタハウジング２３２は、フラットケーブル２３０の下端に装着され、コンタクトピン２３４の各々は、フラットケーブル２３０の各素線に電気的に接続される。
【００９６】
また、レセプタクル２７６は、サブ基板２７０の図示していない配線に接続される。これにより、コンタクトピン２３４がレセプタクル２７６に挿された場合、フラットケーブル２３０とサブ基板２７０の配線とが電気的に接続される。
【００９７】
サブ基板２７０の上面には、絶縁シート２７１、補強部材２７５および実装部品２７４が配される。絶縁シート２７１および補強部材２７５は、それぞれコンタクタハウジング２８０と略同じ占有面積を有する。また、絶縁シート２７１および補強部材２７５は、サブ基板２７０のネジ穴２７２と同じ配置を有して、それぞれが厚さ方向に貫通するネジ穴２７３、２７７を有する。
【００９８】
絶縁シート２７１は、誘電体材料により形成され、サブ基板２７０および補強部材２７５の間に間挿される。これにより、サブ基板２７０の上面に回路を形成した場合でも、補強部材２７５として導電性の金属等を用いることができる。
【００９９】
実装部品２７４は、例えばバイパスコンデンサ等の電気素子であり得る。この種の素子をサブ基板２７０に実装することにより、ウエハ１０１の直近においてノイズを抑制できる。
【０１００】
コンタクタハウジング２８０は、上面に開口する多数のハウジング穴２８４と、側面に形成され、傾斜部２８３および水平部２８５を含む段差とを有する。ハウジング穴２８４は、コンタクタハウジング２８０を高さ方向に貫通する。水平部２８５および傾斜部２８３は、コンタクタハウジング２８０の高さ方向について中程に配され、長手方向の一部は段差のない通過部２８１をなす。
【０１０１】
補強部材２７５および絶縁シート２７１とコンタクタハウジング２８０とは、間にサブ基板２７０を挟んだ状態でネジ２７９により締結される。これにより、サブ基板２７０、絶縁シート２７１、補強部材２７５は相互に一体化され、高い機械的強度を発揮する。
【０１０２】
ガイドユニット３３０は、チャネル部材３３２、ローラ３３３、作動バー３３５およびスピンドル３３７を有する。チャネル部材３３２は、一対の垂直壁の両端を、水平な一対の連結部３３４により結合した形状を有する。連結部３３４の中央にはネジ穴３３６が配される。
【０１０３】
長穴３３１は、チャネル部材３３２の垂直壁を貫通して、チャネル部材３３２の長手方向に延在する。ローラ３３３は、長穴３３１に挿通されたスピンドル３３７の一端に支持され、チャネル部材３３２の内側に配される。スピンドル３３７の他端は、作動バー３３５により連結される。
【０１０４】
これにより、作動バー３３５が、チャネル部材３３２の長手方向に移動した場合、複数のローラ３３３も一斉に移動する。なお、ガイドユニット３３０は、ネジ穴３３６に挿通されたネジ３３９により、配線基板３２０の上面に取り付けられる。
【０１０５】
図１２は、コンタクタ２０２の拡大断面図である。他の図と共通の要素には同じ参照番号を付して重複する説明を省く。
【０１０６】
コンタクタハウジング２８０は、ハウジング穴２８４のそれぞれにスプリングピン２８６を内蔵してコネクタの一例を形成する。スプリングピン２８６は伸長する方向に両端が付勢されている。従って、コンタクタハウジング２８０がサブ基板２７０に装着された段階で、スプリングピン２８６の上端は、サブ基板２７０下面のコンタクトパッド２７８に押し付けられ、サブ基板２７０の配線に電気的に接続される。
【０１０７】
試験装置１００において試験が実行される場合、コンタクタハウジング２８０は、ガイドユニット３３０の内側に入り込む。ガイドユニット３３０のローラ３３３の間隔は、段差よりも上の部分では、コンタクタハウジング２８０の幅に略等しい。従って、通過部２８１を通過したローラ３３３が段差の上側に到達した段階で作動バー３３５を移動させることにより、ローラ３３３を段差に沿って移動させることができる。
【０１０８】
通過部２８１から傾斜部２８３を通過したローラ３３３は、やがて水平部２８５の上に乗り上げる。この過程で、コンタクタハウジング２８０は、配線基板３２０に向かって押し下げられる。これにより、スプリングピン２８６の各々の下端は、配線基板３２０の上面のコンタクトパッド３２１に押し付けられる。こうして、配線基板３２０を含むプローブカード３００から、コンタクタ２０２およびフラットケーブル２３０を介して、テストヘッドまでの信号経路が形成される。
【０１０９】
なお、コンタクタハウジング２８０は、ガイドユニット３３０単位で個々に引きつけられて配線基板３２０に押し付けられる。従って、コンタクタ２０２全体に大きな圧力をかけなくとも、確実な電気的結合が得られる。また、コンタクタハウジング２８０およびガイドユニット３３０が個々に引き合うので、プローブカード３００全体に大きな圧力をかけることなく電気的結合が得られる。
【０１１０】
更に、コンタクタハウジング２８０の押し付けはガイドユニット３３０が担うので、テストヘッド２００は、コンタクタ２０２全体をプローブカード３００に押し付ける大きな押圧力を発生しなくてもよい。従って、三次元アクチュエータ２５０は、コンタクタ２０２を位置合わせに移動させる駆動力を発揮すれば足り、小型で廉価な仕様を選択できる。
【０１１１】
図１３は、コンタクタハウジング２８０におけるスプリングピン２８６の信号配列を示す図である。ひとつのコンタクタハウジング２８０には、３つの群をなすハウジング穴２８４が配される。この各群に挿入されたスプリングピン２８６の信号配列を相互に一定とすることにより、仕様の同じコンタクタ２０２を用いてパッド群３２４に電気的接続を形成できる。また、ひとつのコンタクタ２０２を移動させて、複数のパッド群３２４に対して電気的接続を形成することもできる。
【０１１２】
図示の例では、コンタクタハウジング２８０の端部に位置するスプリングピン２８６に電源ラインを２８７、コンタクタハウジング２８０の中程のスプリングピン２８６に信号ライン２８９を割り当て、両者の間にグランドライン２８８を配している。このような配列により、電源ライン２８７を共通化して、スプリングピン２８６の数を低減している。また、電源ライン２８７から信号ライン２８９へのノイズの飛び込みを抑制している。
【０１１３】
図１４は、テストヘッド２００およびプローブカード３００の断面図である。他の図と共通の要素には同じ参照番号を付して重複する説明を省く。
【０１１４】
ウエハトレイ４５０は、流路４５２、４５４と、ダイヤフラム４５６とを有する。流路４５２は、ウエハトレイ４５０の上面においてウエハ１０１を搭載する領域に一端を開口する。流路４５２の他端は、バルブ５１２を介して減圧源５１０に結合される。これにより、ウエハ１０１を搭載した状態でバルブ５１２を連通させると、ウエハトレイ４５０はウエハ１０１を吸着して保持する。
【０１１５】
ウエハトレイ４５０の流路４５４は、ウエハトレイ４５０の上面においてウエハ１０１を搭載する領域の外側に開口する。流路４５４の他端は、バルブ５２２を介して減圧源５２０に結合される。
【０１１６】
また、ダイヤフラム４５６は、弾性を有する材料により形成され、流路４５４の開口の更に外側でウエハトレイ４５０の周縁部に気密に取り付けられる。アライメントステージ４１０が上昇してウエハ１０１がプローブカード３００の下面に押し付けられた場合、ダイヤフラム４５６の上端もプローブカード３００の下面に接して、ウエハトレイ４５０およびプローブカード３００の間を気密に封止する。これにより、ウエハ１０１を搭載した状態でバルブ５２２を連通させると、ウエハトレイ４５０はプローブカード３００の下面に吸いついて、保持したウエハ１０１をプローブカード３００に押し付ける。
【０１１７】
更に、プローブカード３００の最下面に位置するメンブレンユニット３７０の弾性シート３７２には、貫通穴３７４が設けられている。従って、プローブカード３００およびウエハトレイ４５０の間の空間が減圧された場合、プローブカード３００の内部も減圧される。これにより、プローブカード３００の配線基板３２０、ＰＣＲシート３４０、３６０、インタポーザ３５０およびメンブレンユニット３７０は相互に押し付けられ、ウエハ１０１からテストヘッド２００に至る信号経路を確実に形成する。
【０１１８】
このように、ウエハ１０１に形成された複数のデバイスを試験する試験装置１００であって、ウエハ１０１に重ね合わされるプローブカード３００の下面において複数の試験パッドにそれぞれ接続され、プローブカード３００の上面に対応する複数のコンタクトパッド３２１が配されるプローブカード３００と、プローブカード３００の複数のコンタクトパッド３２１のうちの一部分ずつに順次、接続するコンタクタ２０２とを備えた試験装置１００が形成される。
【０１１９】
図１５は、テストヘッド２００およびプローブカード３００の断面図である。この図は、コンタクタ２０２のコンタクタ基板２６０およびコンタクタハウジング２８０が移動して、図１４の場合とは異なるガイドユニット３３０に嵌合している点を除いて、図１４と変わらない。そこで、共通の要素に同じ参照番号を付して重複する説明を省く。
【０１２０】
ガイドユニット３３０の作動バー３３５を移動させてローラ３３３を通過部２８１の位置まで移動させることにより、コンタクタハウジング２８０をガイドユニット３３０から上昇させることができるようになる。この状態で、コンタクタ２０２において、三次元アクチュエータ２５０を動作させることにより、コンタクタ基板２６０、サブ基板２７０およびコンタクタハウジング２８０を引き上げて、コンタクタハウジング２８０をガイドユニット３３０から引き抜くことができる。
【０１２１】
更に、三次元アクチュエータ２５０を動作させることにより、コンタクタ基板２６０、サブ基板２７０およびコンタクタハウジング２８０を水平に移動して（図示の例では右側）、他の位置で再び降下させることにより、図１４の状態では空いていたガイドユニット３３０にコンタクタハウジング２８０を挿入できる。他のガイドユニット３３０の内部においても、ローラ３３３による引きつけ機構と、コンタクトパッド３２１に対する信号配列は共通なので、同じテストヘッド２００を用いて、他のガイドユニット３３０において同じ試験を実行することができる。
【０１２２】
図１６は、ウエハ１０１において試験を実行される領域を示す平面図である。コンタクタ２０２およびプローブカード３００が図１４に示すように接続された場合に、例えば、ウエハ１０１の複数の素子領域１０２のうち、左端の列から１列おきの素子領域１０２が、図中に斜線で示すように、試験を実施される試験実行領域１０３となる。
【０１２３】
また、その余の素子領域１０２は、コンタクタ２０２が接続されていないガイドユニット３３０に対応して、試験を実行しない試験非実行領域１０５となる。
【０１２４】
図１７も、ウエハ１０１において試験を実行される領域を示す平面図である。ただし、図１７は、コンタクタ２０２が変位して図１５に示すようにコンタクタ２０２およびプローブカード３００が接続された場合を示す。
【０１２５】
この場合、図１６では試験実行領域１０３であった素子領域１０２が試験非実行領域１０５となる。また、図１６で試験非実行領域１０５であった領域は、試験実行領域１０３となる。
【０１２６】
このように、プローブカード３００上のパッド群３２４の各々が、ウエハ１０１において隣接した素子領域１０２に順次、接続されていてもよい。これにより、コンタクタ２０２を移動させることにより、２回に分けてウエハ１０１全体を試験することができる。換言すれば、ウエハ１０１全体を１回で試験する場合に比較すると、テストヘッド２００の規模を半分にすることができる。
【０１２７】
また、コンタクタ２０２は、コンタクトパッド３２１のピッチおよび面積が拡大されたプローブカード３００の上面に対して当接、離間する構造なので、ウエハ１０１に対して直接にコンタクタ２０２を当接させる構造に比較してコンタクタ２０２の位置決め精度に余裕がある。これにより、コンタクタ２０２の昇降および移動を高速にでき、試験装置１００のスループットを向上させることができる。
【０１２８】
なお、部分毎に試験してウエハ１０１全体を試験する場合の回数は２回に限られるわけではなく、ウエハ１０１上の配列におけるｎ個毎の複数の素子領域１０２に対応する複数のスプリングピン２８６を含むコンタクタ２０２を順次、接続することにより、例えばｎ回に分けてウエハ１０１全体を試験できる。一枚のウエハ１０１に対する試験の実行をｎ回に分けた場合は、プローブカード３００にコンタクタ２０２を押し付ける力は１／ｎになり、試験装置１００の強度および動力源に余裕が生じる。
【０１２９】
また、プローブカード３００等の強度にも余裕が生じると共に、ウエハ１０１に反りを生じるような大きな負荷をかけずに試験できる。更に、そのような小さな押し付け力でコンタクタ２０２を押し付けても、コンタクタ２０２とプローブカード３００との電気的な接続が確実に得られる。
【０１３０】
また更に、試験実行領域１０３および試験非実行領域１０５の配置も図示の例に限られるわけではない。例えば、試験実行領域１０３が一松模様を描くようにして、試験による素子領域１０２の発熱をウエハ１０１に均一に分布させてもよい。
【０１３１】
このように、ウエハ１０１上に配列された多数の素子領域１０２のうちの一部に対応した複数のコンタクタ２０２を有して、プローブカード３００を介してウエハ１０１に順次、接続することにより、何回かに分けて試験を実行してもよい。これにより、コストへの影響が高い電気接点の数およびピンエレクトロニクスの数を減らして、試験装置１００を小型化、低コスト化できる。
【０１３２】
なお、上記実施形態では、固定されたプローブカード３００に対してコンタクタ２０２を動かして、異なるパッド群３２４にコンタクタ２０２を接続する構造とした。しかしながら、試験装置１００の構造がこれに限定されるわけではなく、コンタクタ２０２を固定して、プローブカード３００、ウエハ１０１およびウエハトレイ４５０を一体的に移動させる構造とすることもできる。
【０１３３】
図１８は、他の構造を有するガイドユニット３３０周辺の分解斜視図である。なお、以下に説明する部分を除いた部分については、これまでに説明した試験装置１００と同じ構造を有するので、共通の要素には同じ参照番号を付して重複する説明を省く。
【０１３４】
この図では、テストヘッド２００側をコンタクタハウジング２８０単独で示す。また、プローブカード３００側を、スティフナ３１０、配線基板３２０およびガイドユニット３３０により示す。
【０１３５】
コンタクタハウジング２８０は、図１１に示したものと略同じ構造を有するが、側面に形成された段差の傾斜部２８３および水平部２８５が短くなっている。ただし、通過の位置と幅は変わらない。
【０１３６】
スティフナ３１０は、クロスメンバ３１８を有する。クロスメンバ３１８は、両端にネジ穴３１７を有する。また、クロスメンバ３１８には、ガイドユニット３３０の配列間隔と等しい間隔で２種のネジ穴３１５、３２７が配される。更に、スティフナ３１０の上面には、クロスメンバ３１８の端部と相補的な形状を有する結合部３１１が形成される。更に、結合部３１１には、ネジ穴３１３が形成される。
【０１３７】
クロスメンバ３１８は、ネジ穴３１７に挿通されて、ネジ穴３１３に螺入されたネジ３１９により、スティフナ３１０に対して高剛性に結合される。これにより、スティフナ３１０およびクロスメンバ３１８は一体となり、高い剛性を発揮する。ネジ穴３２７の用途については後述する。
【０１３８】
ガイドユニット３３０は、チャネル部材３３２、ローラ３３３および連結部３３４を一体的に有する。チャネル部材３３２は、上面および下面が開放され、互いに平行な一対の側壁を有する。複数のローラ３３３は、チャネル部材３３２の側壁内側に、等間隔で配される。ローラ３３３の各々は、スピンドル３３７により回転自在に取り付けられている。このガイドユニット３３０では、ローラ３３３は移動しない。
【０１３９】
連結部３３４は、ガイドユニット３３０の長手方向両端の外側に配され、それぞれ、ネジ穴３３６を有する。ネジ穴３３６にネジ３３９を挿通してクロスメンバ３１８のネジ穴３１５に螺入することにより、ガイドユニット３３０をクロスメンバ３１８に固定することができる。
【０１４０】
配線基板３２０は、上面に複数のパッド群３２４を有する。ただし、図中で右方にややオフセットして配置されている。このように、配線基板３２０は、ガイドユニット３３０に結合され、ガイドユニット３３０を配線基板３２０の方向へ付勢するスティフナ３１０およびクロスメンバ３１８を更に備えてもよい。
【０１４１】
図１９は、プローブカード３００の平面図である。プローブカード３００は、スティフナ３１０、配線基板３２０およびガイドユニット３３０を有する。
【０１４２】
スティフナ３１０は、矩形の枠体をなす。スティフナ３１０の上辺および下辺と平行に、２本のクロスメンバ３１８がスティフナ３１０に組み付けられる。クロスメンバ３１８の両端は、スティフナ３１０の結合部３１１にそれぞれネジ３１９によりネジ止めされる。
【０１４３】
更に、クロスメンバ３１８と直交して、複数のガイドユニット３３０が配される。一対のクロスメンバ３１８の間に配されたガイドユニット３３０は、両端の連結部３３４をクロスメンバ３１８に、ネジ３３９によりネジ止めされる。
【０１４４】
また、スティフナ３１０の上辺または下辺とクロスメンバ３１８との間に配されたガイドユニット３３０は、一方の連結部３３４をスティフナ３１０に、他方の連結部３３４をクロスメンバ３１８に、それぞれネジ３３９によりネジ止めされる。なお、このため、スティフナ３１０の上辺および下辺には、ガイドユニット３３０の連結部３３４を対象とした結合部３１１が形成される。
【０１４５】
スティフナ３１０およびクロスメンバ３１８に対して固定されたガイドユニット３３０の内側には、それぞれ、パッド群３２４が位置する。ここで、パッド群３２４は、ガイドユニット３３０の長手方向の一方、図中では上方にオフセットして配される。
【０１４６】
このようにして、試験装置１００側のコンタクタ２０２をウエハ１０１の試験パッドに電気的に接続するプローブカード３００であって、試験パッドに対応するパッド群３２４を上面に有する配線基板３２０と、配線基板３２０の一方の面に配され、コンタクタ２０２を配線基板３２０に案内すると共に、コンタクタ２０２のスプリングピン２８６を配線基板３２０のパッド群３２４に押圧するガイドユニット３３０とを備えるプローブカード３００が形成される。
【０１４７】
図２０は、上記のようなプローブカード３００に対するコンタクタ２０２の動作を示す模式図である。プローブカード３００の上面をなす配線基板３２０は、スティフナ３１０またはクロスメンバ３１８のネジ穴３２７に挿通されたネジ３２９によりネジ止めされる。
【０１４８】
ここで、配線基板３２０には、ネジ３２９が螺入されるネジ穴として非貫通孔３２８が形成される。このように、ネジ穴を非貫通孔３２８とすることによりネジ穴を通じて配線基板３２０の表裏が連通することが防止され、プローブカード３００の内部が気密に封止される。
【０１４９】
上記のようなプローブカード３００に対して電気的接続を形成する場合、コンタクタ２０２は、ローラ３３３がコンタクタハウジング２８０の通過部２８１を通過する位置で、図中に点線で示すように、配線基板３２０に向かって垂直に降下する。コンタクタハウジング２８０の下面に突出したスプリングピン２８６の下端が配線基板３２０の上面に当接するまで降下したコンタクタハウジング２８０は、ガイドユニット３３０に案内されつつ、配線基板３２０の表面に沿って水平に移動する。
【０１５０】
ここで、ローラ３３３が傾斜部２８３の上を通過して水平部２８５に至るようにコンタクタハウジング２８０を水平に摺動させることにより、ガイドユニット３３０は、スプリングピン２８６を収容したコンタクタハウジング２８０の側面において、配線基板３２０に向かって押し付けられる。
【０１５１】
やがて、スプリングピン２８６は、オフセットして配置されたパッド群３２４のうちの対応するコンタクトパッド３２１に接する。これにより、プローブカード３００からコンタクタ２０２への電気信号の経路が形成される。また、スプリングピン２８６の配線基板３２０に対する摺動によるセルフクリーニング効果で、スプリングピン２８６およびコンタクトパッド３２１の酸化皮膜等が除去されるので、スプリングピン２８６およびコンタクトパッド３２１の間には、良好な接続が得られる。
【０１５２】
なお、図１１および図１８に示した例では、それぞれ、側面に段差を有するコンタクタハウジング２８０と、ローラ３３３を有するガイドユニット３３０により、スプリングピン２８６をコンタクトパッド３２１に押し付ける構造であった。これに対して、以下に示す例では、コンタクタハウジング２８０の側面に係合ピンが、プローブカード３００側に溝カムが、それぞれ形成される。
【０１５３】
図２１は、試験装置１００のテストヘッド２００におけるコンタクタ２０２周辺の他の構造を示す斜視図である。コンタクタ２０２は、コンタクタハウジング２８０およびソケット２９０を含む。
【０１５４】
コンタクタハウジング２８０は、ハウジング穴２８４とネジ穴２８２とを有する。ハウジング穴２８４は、コンタクタハウジング２８０を高さ方向に貫通して多数配される。ハウジング穴２８４の各々には、スプリングピン２８６が挿通される。ネジ穴２８２も、コンタクタハウジング２８０を厚さ方向に貫通する。ネジ穴２８２には、ネジ２９８が下から挿通される。
【０１５５】
ソケット２９０は、レセプタクル２９２、係合ピン２９４およびネジ穴２９６を有する。レセプタクル２９２は、フラットケーブル２３０の下端に装着されたコネクタハウジング２３２と相補的な形状を有する。
【０１５６】
ネジ穴２９６は、ソケット２９０を高さ方向に貫通する。ネジ穴２９６には、コンタクタハウジング２８０のネジ穴２８２に挿通されたネジ２９８の先端が更に挿通される。ネジ２９８の上端は、テストヘッド２００の三次元アクチュエータ２５０に結合される。これにより、コンタクタハウジング２８０がテストヘッド２００に装着されると共に、三次元アクチュエータ２５０の動作に応じて昇降または水平移動する。
【０１５７】
また、コンタクタハウジング２８０およびソケット２９０は密着して積層され、図示されていない配線により、電気的に結合される。これにより、テストヘッド２００側に結合されたフラットケーブル２３０の一端が、コンタクタハウジング２８０のスプリングピン２８６に電気的に結合される。
【０１５８】
係合ピン２９４は、ソケット２９０の側面から垂直に突出する。係合ピン２９４の機能については後述する。
【０１５９】
図２２は、コンタクタ２０２の側面図である。なお、図２１と共通の要素には同じ参照番号を付して、重複する説明を省く。
【０１６０】
図示のように、コンタクタハウジング２８０の下面には、下方に向かって突出する複数のガイドピン２９５が配される。ガイドピン２９５は、後述する配線基板３２０の上面に形成されたガイド穴３８６と嵌合して、配線基板３２０上におけるコンタクタハウジング２８０の位置を位置決めする。
【０１６１】
図２３は、上記コンタクタ２０２に対応したプローブカード３００の平面図である。プローブカード３００は、スティフナ３１０、配線基板３２０およびガイドバー３８０を備える。
【０１６２】
配線基板３２０は、試験対象となるウエハ１０１に略外接する矩形の形状を有する。また、配線基板３２０の上面には、複数のパッド群３２４とガイド穴３８６とが規則的に配される。スティフナ３１０は、配線基板３２０を全体に包囲する枠部３０９と、枠部３０９の平行な一対の辺を結合する２本のクロスメンバ３１８とが一体に形成される。
【０１６３】
ガイドバー３８０は、クロスメンバ３１８と直交する方向に、コンタクタハウジング２８０の幅と同じ間隔で複数平行に配される。ガイドバー３８０の各々は、段差３８１および溝カム３８２を有する。段差３８１は、スティフナ３１０に隣接する部分においてガイドバー３８０の高さを減じるように形成される。溝カム３８２は、ガイドバー３８０の側面に配される。
【０１６４】
また、クロスメンバ３１８の各々は、後述するように、スティフナ３１０の奥行き（図中の高さ）よりも大きな長さを有して、スティフナ３１０の枠部３０９およびクロスメンバ３１８を貫通する。このため、枠部３０９の下端から、ガイドバー３８０の端部３８７が突出する。
【０１６５】
突出した端部３８７がガイドバー３８０の長手方向に押された場合、ガイドバー３８０は押された方向に移動する。これにより、ガイドバー３８０の端部３８７はスティフナ３１０の枠部３０９に入り込み、ガイドバー３８０の上端がスティフナ３１０の上端から突出する。
【０１６６】
図２４は、プローブカード３００の一部を抜き出して示す部分拡大斜視図である。図２３と共通の要素には同じ参照番号を付して重複する説明を省く。
【０１６７】
スティフナ３１０の外側において、ガイドバー３８０の端部３８７は、スティフナ３１０の枠部３０９から左下方に突出する。一方、スティフナ３１０の内側においては、端部３８７と反対側において、スティフナ３１０のクロスメンバ３１８の手前でガイドバー３８０の高さが減じられた段差が位置する。これにより、端部３８７が押された場合、段差３８１の立ち上がり面がクロスメンバ３１８に当接するまで、ガイドバー３８０が移動する。
【０１６８】
ガイドバー３８０お各々側面には、Ｌ字型の溝カム３８２が配される。溝カム３８２の各々は、ソケット２９０の側面に配された係合ピン２９４の径よりも大きな幅を全長にわたって有する。また、溝カム３８２内側の下向きの面は、溝カム３８２の奥に行くにつれて降下する傾斜を有する。なお、段差３８１と重なる領域に配された溝カム３８２は垂直部分が省かれているが、水平部分の形状は他の溝カム３８２と変わらない。
【０１６９】
上記のようなガイドバー３８０の間にコンタクタ２０２が降下した場合、コンタクタハウジング２８０はガイドバー３８０およびスティフナ３１０に側面を案内されつつ降下して、やがて、ガイドピン２９５の下端がガイド穴３８６に入り込む。ガイドピン２９５がガイド穴３８６に案内されることにより、コンタクタハウジング２８０に保持されたスプリングピン２８６の下端とパッド群３２４とが正確に位置合わせされる。
【０１７０】
また、ソケット２９０の側面に配された係合ピン２９４は、ガイドバー３８０の溝カム３８２の内部に入り込む。係合ピン２９４が溝カム３８２の底面に当たるまでコンタクタ２０２が降下すると、図示していないアクチュエータにより、ガイドバー３８０の端部３８７が、その長手方向に一斉に押される。これにより、溝カム３８２も変位して、その上面の傾斜に従って係合ピン２９４を下方に押し下げる。このような動作に鑑みて、係合ピン２９４は、ローラ３３３のように回転する構造であってもよい。
【０１７１】
ガイドバー３８０は、スティフナ３１０および配線基板３２０に挟まれて支持されているので、上記の動作により、ソケット２９０およびコンタクタハウジング２８０は、配線基板３２０に向かって引き付けられる。こうして、コンタクタハウジング２８０に保持されたスプリングピン２８６の各々は、パッド群３２４を形成するパッドに対して押し付けられ、パッドおよびスプリングピン２８６の間に良好な電気的接続が形成される。
【０１７２】
図２１から図２４までに示した構造は、ガイドバー３８０がコンタクタハウジング２８０の案内と引き付けを両方担う。このため、図１１および図１２並びに図１８から図２０までに示した構造に比較すると、部品点数が少なく、構造が簡単になる。しかしながら、他の形態と同等の機能を有している。
【０１７３】
図２５は、コンタクタ２０２の更に他の構造を示す側面図である。図２４までに示した例では、複数のパッド群３２４に対応するスプリングピン２８６が、単一のコンタクタハウジング２８０に保持されていた。
【０１７４】
これに対して、図２５に示す例では、パッド群３２４毎に、個別のコンタクタハウジング２８０が配される。また、コンタクタハウジング２８０およびソケット２９０の各々は、三次元アクチュエータ２５０から、バネ２９９を介して個別に支持される。
【０１７５】
これにより、コンタクタハウジング２８０の各々が、ガイドピン２９５に個別に案内されて個別に位置決めされるので、配線基板３２０側の不可避な寸法誤差と、コンタクタ２０２側の不可避な寸法誤差とが重畳されることが防止される。従って、配線基板３２０の全ての領域において高い位置精度が保たれ、良好な電気的接続が形成される。
【０１７６】
以上、本発明を実施の形態を用いて説明したが、本発明の技術的範囲は上記実施の形態に記載の範囲には限定されない。上記実施の形態に、多様な変更または改良を加え得ることが当業者に明らかである。その様な変更または改良を加えた形態も本発明の技術的範囲に含まれ得ることが、請求の範囲の記載から明らかである。
【０１７７】
請求の範囲、明細書、および図面において示した装置、システム、プログラム、および方法における動作、手順、ステップおよび段階等の各処理の実行順序は、特段「より前に」、「先立って」等と明示しておらず、また、前の処理の出力を後の処理で用いるのでない限り、任意の順序で実現しうることに留意すべきである。請求の範囲、明細書、および図面中の動作フローに関して、便宜上「まず、」、「次に、」等を用いて説明したとしても、この順で実施することが必須であることを意味するものではない。  
【図１】
2010125605.tif 000003
【図２】
2010125605.tif 000004
【図３】
2010125605.tif 000005
【図４】
2010125605.tif 000006
【図５】
2010125605.tif 000007
【図６】
2010125605.tif 000008
【図７】
2010125605.tif 000009
【図８】
2010125605.tif 000010
【図９】
2010125605.tif 000011
【図１０】
2010125605.tif 000012
【図１１】
2010125605.tif 000013
【図１２】
2010125605.tif 000014
【図１３】
2010125605.tif 000015
【図１４】
2010125605.tif 000016
【図１５】
2010125605.tif 000017
【図１６】
2010125605.tif 000018
【図１７】
2010125605.tif 000019
【図１８】
2010125605.tif 000020
【図１９】
2010125605.tif 000021
【図２０】
2010125605.tif 000022
【図２１】
2010125605.tif 000023
【図２２】
2010125605.tif 000024
【図２３】
2010125605.tif 000025
【図２４】
2010125605.tif 000026
【図２５】
2010125605.tif 000027
【手続補正書】
【提出日】平成21年8月14日(2009.8.14)
【手続補正１】
【補正対象書類名】特許請求の範囲
【補正対象項目名】全文
【補正方法】変更
【補正の内容】
【特許請求の範囲】
【請求項１】
試験装置の接続端子を被試験デバイスの被接続端子に接続する配線基板ユニットであって、
前記被接続端子に対応する接点を一方の面に有する配線基板と、
前記配線基板の前記一方の面に配され、前記接続端子を有するコネクタを前記配線基板に案内すると共に、前記コネクタを前記配線基板に向かって引き付けるコネクタガイドと
を備える配線基板ユニット。
【請求項２】
前記コネクタガイドは、前記接続端子の側方において前記コネクタを前記配線基板に向かって付勢する請求項１に記載の配線基板ユニット。
【請求項３】
前記配線基板は、前記コネクタガイドに結合され、前記コネクタガイドを前記配線基板に向かって付勢するスティフナを更に備える請求項１または請求項２に記載の配線基板ユニット。
【請求項４】
前記配線基板は、前記スティフナを結合するネジを螺入する非貫通孔を有する請求項３に記載の配線基板ユニット。
【請求項５】
前記配線基板ユニットは、
前記配線基板の前記一方の面の裏面に表面を接して、厚さ方向に限って導電性を有する第１異方性導電シートと、
前記第１異方性導電シートの裏面に表面を接して、前記一方の面における前記接点のレイアウトを前記被接続端子のレイアウトに変換するインタポーザと、
前記インタポーザの裏面に接して、厚さ方向に限って導電性を有する第２異方性導電シートと、
前記第１異方性導電シート、前記インタポーザおよび前記第２異方性導電シートを、前記配線基板に向かって付勢する、表裏を貫通する貫通電極を有する弾性導電シートと
を更に有する請求項１から請求項４までのいずれかに記載の配線基板ユニット。
【請求項６】
前記コネクタガイドは、前記配線基板ユニットが前記被試験デバイスに接する領域の裏面に相当する領域に向かって前記コネクタを引き付ける請求項１から請求項５までのいずれかに記載の配線基板ユニット。
【請求項７】
ウエハ上の被試験デバイスを試験する試験装置であって、
被試験デバイスの被接続端子に試験回路を接続する接続端子を有するコネクタと、
前記接続端子を前記被接続端子に電気的に接続する配線基板ユニットと
を備え、
前記配線基板ユニットは、
前記被接続端子に対応する接点を一方の面に有する配線基板と、
前記配線基板の前記一方の面に配され、前記コネクタを前記配線基板に案内すると共に、前記コネクタを前記配線基板に向かって引き付けるコネクタガイドと
を有する試験装置。
【請求項８】
前記コネクタガイドは、前記接続端子の側方において前記コネクタを前記配線基板に向かって付勢する請求項７に記載の試験装置。
【請求項９】
前記配線基板は、前記コネクタガイドに結合され、前記コネクタガイドを前記配線基板に向かって付勢するスティフナを更に備える請求項７または請求項８に記載の試験装置。
【請求項１０】
前記配線基板は、前記スティフナを結合するネジを螺入する非貫通孔を有する請求項９に記載の試験装置。
【請求項１１】
前記配線基板ユニットは、
前記配線基板の前記一方の面の裏面に表面を接して、厚さ方向に限って導電性を有する第１異方性導電シートと、
前記第１異方性導電シートの裏面に表面を接して、前記一方の面における前記接点のレイアウトを前記被接続端子のレイアウトに変換するインタポーザと、
前記インタポーザの裏面に接して、厚さ方向に限って導電性を有する第２異方性導電シートと、
前記第１異方性導電シート、前記インタポーザおよび前記第２異方性導電シートを、前記配線基板に向かって付勢する、表裏を貫通する貫通電極を有する弾性導電シートと
を更に有する請求項７から請求項１０までのいずれかに記載の試験装置。
【請求項１２】
前記コネクタガイドは、前記配線基板ユニットが前記被試験デバイスに接する領域の裏面に相当する領域に向かって前記コネクタを引き付ける請求項７から請求項１１までのいずれかに記載の試験装置。
【国際調査報告】
2010125605.tif 000028
2010125605.tif 000029